(57)【要約】      （修正有）【課題】作業効率に優れたモップ構造と脱水装置を組み合わせたモップ清掃セットを提供する。【解決手段】モップ構造３と脱水装置２を備えるモップ清掃セットであって、上記脱水装置により、モップ構造が脱水され、上記脱水装置は、モップ負荷ユニット２１を備え、脱水装置により、モップ構造が固定され、モップ構造が、回転脱水過程において、遠心力が大きすぎるため投げ出されることがなく、実用性価値に優れたモップ清掃セットとなる。【選択図】図２（ｂ）
0003174187.tif 000002
【実用新案登録請求の範囲】
【請求項１】
モップ構造と脱水装置が備えられるモップ清掃セットであって、モップ構造を脱水させるための上記脱水装置は、
貫通孔が形成される基座と、
モップを負荷し、上記基座の上方に位置し、底部に、棒体貫設部が設けられるモップ負荷ユニットと、
上記モップ負荷ユニットの底部に設けられる上記棒体貫設部と、上記基座に形成される上記貫通孔に貫設され、第一の突出部と第二の突出部が形成されてあり、上記第一の突出部が、上記モップ負荷ユニットの底部表面と上記基座の頂部表面との間に位置し、上記モップ負荷ユニットを支持し、上記基座に形成される上記貫通孔の下方に位置する上記第二の突出部により、上記基座に形成される上記貫通孔に固定される棒体と、
によって構成され、
上記のモップ構造が、
握り棒と、
清掃体を負荷固定し、第一の部分固定基座と第二の部分固定基座とが備えられ、上記第一の部分固定基座が、上記握り棒に連結される固定基座と、
可撓性材質からなり、上記固定基座に設けてある上記第一の部分固定基座と上記第二の部分固定基座とを連結し、可撓性により、上記第二の部分固定基座に、外力が印加されると、第一の方向又は第二の方向へ畳んで収納される連結部と、
によって構成されることを特徴とするモップ清掃セット。
【請求項２】
上記脱水装置が、さらに、
上記棒体に嵌設されて、上記第一の突出部と上記基座頂部表面との間に位置し、上記第一の突出部によって附勢され、上記第一の突出部が、直接に、上記基座頂部表面に附勢することを防止する第一の金属リングと、
上記棒体に嵌設され、上記第二の突出部と上記貫通孔底部との間に位置し、上記第二の突出部によって附勢され、上記第二の突出部が、直接に上記基座に形成してある上記貫通孔の底部に附勢することを防止する第二の金属リングとが含有されることを特徴とする請求項１に記載のモップ清掃セット。
【請求項３】
上記第二の突出部が、上記第二の金属リングにプレス成形されてなることを特徴とする請求項２に記載のモップ清掃セット。
【請求項４】
上記棒体に形成してある上記第一の突出部が、円弧状の造型であることを特徴とする請求項１に記載のモップ清掃セット。
【請求項５】
上記基座に、更に、固定柱体によって上記基座の底部に連結される吸盤が設置されてあり、上記基座が、上記吸盤を利用して、任意の平坦表面に吸着固定するように構成されたことを特徴とする請求項１に記載のモップ清掃セット。
【請求項６】
上記脱水装置に、更に、
上記モップ負荷ユニットに位置し、ロックや係入により、上記棒体の貫設部に実装されて、上記モップを固定するモップ固定素子と、
上記モップ負荷ユニットの外側に嵌設され、上記モップ負荷ユニットの外側を、上下に移動でき、上記モップが、上記モップ負荷ユニットに位置して脱水される時、切り出された水分が、行き止められるストッパー板からなることを特徴とする請求項１に記載のモップ清掃セット。
【請求項７】
上記モップ固定素子が、円柱体又は円形帽子体の造型であることを特徴とする請求項６に記載のモップ清掃セット。
【請求項８】
上記ストッパー板と上記モップ負荷ユニットとの外壁からなす夾角が、９０度よりも小さいことを特徴とする請求項６に記載のモップ清掃セット。
【請求項９】
上記モップ負荷ユニットが、複数の孔を有する脱水かごの造型であることを特徴とする請求項１に記載のモップ清掃セット。
【請求項１０】
上記モップ構造に、更に、上記第一の部分固定基座と上記第二の部分固定基座の底面に設置され、上記清掃体を粘着するための粘着ユニットが設けてあり、それにより、上記清掃体が、上記第一の部分固定基座と上記第二の固定基座に固定されてなることを特徴とする請求項１に記載のモップ清掃セット。
【請求項１１】
上記粘着ユニットが、マジックテープ（登録商標）であることを特徴とする請求項１０に記載のモップ清掃セット。
【請求項１２】
上記連結部が、上記第一の部分固定基座と上記第二の部分固定基座に一体成形されてなることを特徴とする請求項１に記載のモップ清掃セット。
【請求項１３】
上記第二の部分固定基座に、それぞれ、上記連結部によって上記第一の部分固定基座の両端に連結される第一の板体と第二の板体が設けてあることを特徴とする請求項１に記載のモップ清掃セット。
【請求項１４】
上記第一の板体と上記第二の板体が、外力により、上記第一の方向へ畳まれ、上記第一の板体と上記第二の板体が、上方へ畳まれることにより、上記第一の部分固定基座に合わせて、逆∩形状になることを特徴とする請求項１３に記載のモップ清掃セット。
【請求項１５】
上記第一の板体と上記第二の板体が、外力により、上記第二の方向へ畳まれ、上記第一の板体と上記第二の板体が、下方へ畳まれることにより、上記第一の部分固定基座に合わせて、∩形状になることを特徴とする請求項１３に記載のモップ清掃セット。
【請求項１６】
上記連結部の上方と下方に、それぞれ、空間が形成され、上記空間が、上記連結部と上記第一の部分固定基座の側壁と、上記第二の部分固定基座の側壁とによって囲まれて形成され、上記第二の部分固定基座が、外力によって附勢されると、上記空間によって上記第二の部分固定基座が畳まれることに必要とする移動範囲が供給されることを特徴とする請求項１に記載のモップ清掃セット。
【請求項１７】
上記第一の部分固定基座の側壁と上記第二の部分固定基座の側壁が、斜面構造又は円弧形状構造であることを特徴とする請求項１６に記載のモップ清掃セット。
【請求項１８】
上記第一の部分固定基座の底面において、中心に、脱水機能を有するバケツを位置付けする位置付けユニットが設けてあり、これにより、上記固定基座が、脱水作業の際、確実に脱水機能を有するバケツに固定されることを特徴とする請求項１に記載のモップ清掃セット。
【請求項１９】
上記モップ構造に、更に、枢着ユニットが設けてあり、上記握り棒及び上記固定基座に枢着され、上記固定基座が、上記握り棒を軸心として、異なる角度に回旋できるように構成したことを特徴とする請求項１に記載のモップ清掃セット。
【請求項２０】
上記清掃体が、モップ布やスポンジ又は清掃用ペーパであることを特徴とする請求項１に記載のモップ清掃セット。
【請求項２１】
モップ構造と脱水装置が備えられるモップ清掃セットであって、モップ構造を脱水させるための上記脱水装置が、
貫通孔が形成される基座と、
モップを負荷し、上記基座の上方に位置し、底部に、棒体貫設部があるモップ負荷ユニットと、
上記モップ負荷ユニットの底部に設けてある上記棒体貫設部と、上記基座にある上記貫通孔に、貫設され、第一の突出部と第二の突出部が形成されてあり、上記第一の突出部が、上記モップ負荷ユニットの底部表面と上記基座の頂部表面との間に位置し、上記モップ負荷ユニットを支持し、上記基座に形成されてある上記貫通孔の下方に位置する上記第二の突出部により、上記基座に形成されてある上記貫通孔に固定される棒体と、
によって構成され、
上記モップ構造が、
握り棒とスリーブ及び中空の第一の柱体からなり、上記握り棒が、握り部と中空の棒部から構成され、上記スリーブが、第一のリングと第二のリングから構成され、上記第一のリングの内径が、上記第二のリングの内径よりも大きく、上記第一のリングが、上記握り棒の上記棒部に嵌設され、上記第一の柱体が、上記握り棒の上記棒部内に固定され、上記第一の柱体の内壁面に、第一の雌ねじが設けてある握持ユニットと、
弾性素子、螺条、一方向軸受、ボス、連結棒及び固定棒を有し、上記ボスに、第三のリングと第四のリングがあり、上記第三のリングの内径が、上記第四のリングの内径よりも大きく、上記一方向軸受が、上記第三のリング内に収納され、上記連結棒が、中空構造で、一端の内壁面に、第二の雌ねじが設置され、他端の内、外に、それぞれ、緊密に上記ボスに当接して、上記スリーブの上記第二のリングに嵌設され、また、一部が、上記握り棒内に挿入され、上記固定棒の一端に、上記連結棒の上記第二の雌ねじに螺着される第二の雄ねじが形成され、上記弾性素子が、上記螺条の外側に嵌設され、上記弾性素子の両端が、それぞれ、上記第一の柱体底部と上記連結棒の頂部に当接し、上記螺条の棒体に、雄ねじが形成され、上記螺条の一端において、適当な位置に第一のリング槽が形成された第二の柱体が緊密に嵌設され、上記螺条の他端において、軸方向に、適当な位置に第二のリング槽が形成された第三の柱体が伸び、上記第一のリング槽と上記第二のリング槽に、それぞれ、第一のリング部材と第二のリング部材が嵌設され、上記第二の柱体が、上記第一のリング槽外に設けてある上記第一のリング部材に嵌設されることにより、上記第二の柱体が、上記螺条の頂部に当接し、上記螺条が、上記スリーブに貫通して上記第一の雄ねじで、上記第一の柱体の上記第一の雌ねじに、回旋可能に螺合されるように、緊密に上記第二の柱体の一端に嵌設され、上記螺条から伸びた上記第三の柱体の一端が、上記第三の柱体を上記一方向軸受と上記ボスに貫通して、上記第二のリング槽の上記第二のリング部材に嵌設されることにより、上記第四のリング底部に当接する回旋ユニットと、
上記固定棒の上記第二の雄ねじから離れた一端に連結される結合ユニットと、
が含有される
ことを特徴とするモップ清掃セット。
【請求項２２】
上記結合ユニットが、グリップと第一の可動部材、第二の可動部材、位置付け部材及び結合座からなり、上記結合座の底部に、清掃体が接続され、上記結合座の頂面に、結合凹みが形成され、上記グリップの一端が、上記回旋ユニットの上記固定棒の上記第二の雄ねじから離れた一端に連結され、上記グリップの他端が、上記第一の可動部材に連結され、上記第一の可動部材が、約Ｕ形状構造で、底壁と両側壁があり、上記底壁が、上記グリップに連結され、上記両側壁が、それぞれ、ほぼ垂直の角度で、上記底壁の両側端から、上記固定棒から離れる方向へ伸び、上記両側壁の上記底壁から離れた一端において、軸方向に、凸縁が伸び、上記両側壁の内側面に、突出が設けられ、上記位置付け部材が、除去可能に上記結合凹み内に嵌設され、上記位置付け部材が、本体と上記本体に設置されたリング状係合部を有し、上記本体が、上記結合凹みに合わせて、制限空間が形成され、上記係合部によって貫通孔が形成され、上記係合部の頂部が、上記第一の可動部材の上記凸縁によって押さえられ、上記第二の可動部材が、円盤状の底座と結合柱を有し、上記底座の厚さが、上記制限空間の高さよりも小さく、上記結合柱が、上記底座に設置され、上記結合柱の両側に、それぞれ、枢着凹槽が設けられ、上記第二の可動部材が、上記結合柱で、上記位置付け部材の上記貫通孔に貫通して、上記枢着凹槽に、枢着可能に、上記第一の可動部材の上記突出を固定し、また、上記底座が、上記制限空間内に収納されることを特徴とする請求項２１に記載のモップ清掃セット。
【請求項２３】
上記第一のリング部材と上記第二のリング部材が、Ｃリングであることを特徴とする請求項２１に記載のモップ清掃セット。
【請求項２４】
上記弾性素子が、圧縮バネであることを特徴とする請求項２１に記載のモップ清掃セット。
【請求項２５】
上記結合座が回旋する場合、上記第一の可動部材の軸方向と上記位置付け部材の平面とが、鋭角をなすようにすると、上記凸縁を、上記位置付け部材の上記係合部頂面から脱離させ、上記結合座が、自由状態になって回旋することができるように構成したことを特徴とする請求項２２に記載のモップ清掃セット。
【請求項２６】
上記結合座を固定する場合、上記第一の可動部材の軸方向と上記位置付け部材の平面とが、直角をなすようにすると、上記凸縁を、上記位置付け部材の上記係合部頂面に当接させ、上記枢着凹槽で、枢着可能に、上記第一の可動部材の上記突出を固定することにより、上記第二の可動部材の上記底座が、上記位置付け部材の上記係合部底面に密着し、同時に、上記第一の可動部材の上記凸縁が、上記係合部に押さえることにより、上記結合座が、緊密に固定されることを特徴とする請求項２２に記載のモップ清掃セット。
【請求項２７】
ユーザーが、脱水する時、上記結合座を、上記緊密状態にさせ、上記結合座とそれに連結された上記清掃体を、脱水装置にセットさせ、上記脱水装置に、回旋可能のモップ負荷ユニットが設けてあり、上記結合座とそれに連結された上記清掃体が、上記モップ負荷ユニット内にセットされ、この時、上記握り棒を、下方へ押さえると、上記第一の柱体底部と上記連結棒頂部で、上記弾性素子が圧迫され、其の同時に、上記第一の雌ねじと上記第一の雄ねじとが、互いに作用し、上記回旋ユニットと上記結合ユニットが、同期に、同一方向に回旋でき、その後、上記弾性素子の回復力により、それに加えて、上記第一の雌ねじと上記第一の雄ねじ及び上記一方向軸受の作用に合わせて、上記握り棒が、自動的に上方へ変位し、それにより、上記回旋ユニットと上記結合ユニットとが、同期に、上記の同一方向に回旋でき、これにより、上記モップ負荷ユニットが連動されて回旋され、遠心力を利用して、上記清掃体の水分を脱水するように構成されたことを特徴とする請求項２６に記載のモップ清掃セット。
【請求項２８】
上記同一方向が、時計回り又は逆時計回りであることを特徴とする請求項２７に記載のモップ清掃セット。
【請求項２９】
上記清掃体が、マップ布であることを特徴とする請求項２２に記載のモップ清掃セット。
【請求項３０】
モップ構造と脱水装置が備えられるモップ清掃セットであり、モップ構造を脱水させるための上記脱水装置が、
貫通孔が形成される基座と、
上記基座の上方に位置し、底部に、棒体貫設部が設けられてあり、モップを負荷するモップ負荷ユニットと、
それぞれ、上記モップ負荷ユニットの底部の上記棒体貫設部と上記基座に形成されてある上記貫通孔に、貫設され、第一の突出部と第二の突出部が設けられてあり、上記第一の突出部が、上記モップ負荷ユニットの底部表面と上記基座の頂部表面との間に位置し、上記モップ負荷ユニットを支持し、上記基座に形成されてある上記貫通孔の下方に位置する上記第二の突出部により、上記基座に形成されてある上記貫通孔に固定される棒体と、
から構成され、
上記モップ構造が、
内壁に、複数の制限突出が設置され、上記制限突出が、等距離に、対向するように、二列に、配列され、内壁の一端に、制限凸縁が設けてある第一のケーシングと、
上記第一のケーシングの下方に位置し、上記第一のケーシング内において、任意に伸縮するように移動できる第二のケーシングと、
上記第二のケーシングの下方に位置し、一端に、マップ布が実装されるダイヤルセットが嵌設される第三のケーシングと、
一体成形の上記第一のケーシングと上記第二のケーシングとの間に設置される第一の連結スリーブと、
第二の連結スリーブと、
上記第一のケーシングの内部に設置され、周りに少なくとも一つのスクリューがあり、内部に貫通孔が設けられてある案内螺条と、
弾性材料からなり、第一の挿入孔が設けられてある第一のプランジャーと、
上記貫通孔の内部に設置され、一端に、スクリュー部があり、上記第一の挿入孔に螺着され、上記案内螺条と上記第一のプランジャーとを、一体に連結する第一の位置付け栓と、
によって構成されることを特徴とするモップ清掃セット。
【請求項３１】
上記第二の連結スリーブが、上記第二のケーシングと上記第三のケーシングとの間に設置され、上記第三のケーシングが、脱離せずに、上記第二のケーシングの延伸になることを特徴とする請求項３０に記載のモップ清掃セット。
【請求項３２】
上記第二の連結スリーブの下方に、弾性材料からなり、第二の挿入孔を有する第二のプランジャーが嵌設されることを特徴とする請求項３１に記載のモップ清掃セット。
【請求項３３】
上記第二の連結スリーブの上方に、上記第二の連結スリーブの内部に設置され、一端が、上記第二の挿入孔に挿入され、第二のケーシングと上記第三のケーシングとが、一体に連結されるための第二の位置付け栓が嵌設されてなることを特徴とする請求項３２に記載のモップ清掃セット。
【請求項３４】
上記第一のケーシングに、一端に、引受け孔が設けられてあり、他端に、吊下げ孔が設けられてある握りカバーが嵌設され、上記引受け孔に、上記第一のケーシングが挿入され、上記吊下げ孔によって吊下げることができることを特徴とする請求項３０に記載のモップ清掃セット。
【請求項３５】
モップ構造と脱水装置が備えられるモップ清掃セットであり、モップ構造を脱水させるための上記脱水装置が、
貫通孔が形成される基座と、
モップを負荷し、上記基座の上方に位置し、底部に、棒体貫設部が設けられてあるモップ負荷ユニットと、
上記モップ負荷ユニット底部の上記棒体貫設部と上記基座に形成されてある上記貫通孔に、貫設され、第一の突出部と第二の突出部が形成されてあり、上記第一の突出部が、上記モップ負荷ユニットの底部表面と上記基座の頂部表面との間に位置し、上記モップ負荷ユニットを支持し、上記基座に形成されてある上記貫通孔の下方に位置する上記第二の突出部により、上記基座に形成されてある上記貫通孔に固定される棒体と
によって構成され、
上記モップ構造が、
中空状で、底端に、開口が形成される外部棒と、
中空貫通で、外径が、上記外部棒の内径よりも小さく、回旋可能に、上記開口を通して、上記外部棒に貫設される内部棒と、
外部棒の内壁に設置される歯列ユニットと、
上記歯列ユニットと上記内部棒に連結され、第一のギアと第二のギア及び第三のギアを有し、上記第一のギアが、上記歯列ユニットに噛合い、上記第二のギアが、それぞれ、上記第一のギアと上記第三のギアに噛合い、上記第二のギアが、上記第一のギアと上記第三のギアよりも大きく、外力により、上記第一のギアが、上記歯列ユニット上を、第一の方向に移動でき、上記第二のギアが、連動されて、上記第三のギアを回旋させ、そのため、上記内部棒が、上記外部棒内において、第二の方向に回旋する回転駆動ギアセットと、
上記内部棒の底端に固定される清掃部材盤と、
によって構成される、
ことを特徴とするモップ清掃セット。
【請求項３６】
上記回転駆動ギアセットが、
上記第一のギアと上記第二のギア及び上記第三のギアに対して固定され、上記第二のギアと上記第三のギアが、上記ハウジング内に位置し、上記第二のギアの一部が、上記ハウジングから露出しているハウジングと、
軸受で、上記第一のギアに連結され、上記第一のギアが、一方向に、上記歯列ユニットに歯合して移動する第一の一方向軸受と、
上記第三のギアに連結され、上記第三のギアが、一方向に、上記第二のギアに歯合して回旋する第二の一方向軸受と、
上記第三のギアと上記第二の一方向軸受に対して固定し、上記第三のギアが、回旋する時、弛むことを防止する弛緩防止ナットセットと、
上記第一のギア、第一の一方向軸受、上記軸受及び上記第二のギアに貫設され、固定柱体で、上記第一のギア、第一の一方向軸受、上記軸受及び上記第二のギアを固定して、上記第一のギアと上記第二のギアが、上記軸体を中心として、回旋する軸体と
によって構成される、ことを特徴とする請求項３５に記載のモップ清掃セット。
【請求項３７】
上記モップ構造に、更に、
上記外部棒の頂端に嵌設され、上記外部棒の安定性を保持するスリーブと、
上記外部棒の内部に設置されて上記回転駆動ギアセットの上記ハウジング上に連結され、自身の回復力により、上記第一のギアを、上記歯列ユニットにおいて、第三の方向へ附勢して移動させるバネと、
上記内部棒の頂端内部に固定され、上記弛緩防止ナットセットを介して、上記第三のギアにロックされ、上記第一のギアが、上記歯列ユニットにおいて、上記第一の方向へ移動する時、上記第二のギアと上記第三のギアが連動されて、上記内部棒固定部材によって、上記内部棒を、上記第二の方向へ回旋させる内部棒固定部材と
上記内部棒の頂端外部に嵌設され、上記内部棒が、上記外部棒内部において、移動する時、上記外部棒が、直接に、上記清掃部材盤に衝撃することを防止する緩衝ライナリングと
が含有されることを特徴とする請求項３６に記載のモップ清掃セット。
【請求項３８】
上記清掃部材盤に、
底部に、清掃部材が連結される清掃部材固定盤と、
上記内部棒に連結され、枢着ユニットにより、上記清掃部材固定盤に枢着連結される内部棒連結部材と
が含有される、ことを特徴とする請求項３５に記載のモップ清掃セット。
【請求項３９】
上記モップ構造に、
中空状で、底端に、開口が形成される外部棒と、
中空貫通で、外径が、上記外部棒の内径よりも小さく、回旋可能に、上記開口を通して、上記外部棒に貫設される内部棒と、
外部棒の内壁に設置される歯列ユニットと、
上記歯列ユニットに連結され、第一のギアと第二のギア及び第三のギアを有し、上記第一のギアが、上記歯列ユニットに歯合し、上記第二のギアが、それぞれ、上記第一のギアと上記第三のギアに歯合し、上記第二のギアが、上記第一のギアと上記第三のギアに歯合し、外力により、上記第一のギアが、上記歯列ユニット上を、第一の方向に移動でき、上記第二のギアが、連動されて、上記第三のギアを、第二の方向に回旋させる回転駆動ギアセットと、
上記回転駆動ギアセットの上記第三のギアと上記内部棒に連結され、上記第一のギアが、上記歯列ユニット上を、上記第一の方向に移動し、上記第二のギアが、連動されて、上記第三のギアを上記第二の方向に回旋させる時、上記第三のギアによって駆動されて回旋し、上記内部棒が、連動されて、上記外部棒内において、上記第二の方向に回旋する螺旋ユニットセットと、
上記内部棒の底端に固定される清掃部材盤と
が含有されることを特徴とする請求項３５に記載のモップ清掃セット。
【請求項４０】
上記回転駆動ギアセットに、更に、
内部に、上記第二のギアと上記第三のギアが位置し、上記第二のギアの一部が、露出するように、上記第一のギアと上記第二のギア及び上記第三のギアを固定するハウジングと、
上記第一のギアが、一方向に、上記歯列ユニットに噛合って移動するように、上記第一のギアに連結される；第一の一方向軸受と、
上記第三のギアが、一方向に、上記第二のギアに歯合して回旋するように、上記第三のギアに連結される第二の一方向軸受と、
上記第三のギアが、回旋する時、脱離することないように、上記第三のギアと上記第二の一方向軸受及び上記螺旋ユニットセットを固定する弛み防止ナットセットと、
上記第一のギアと上記第二のギアが、上記軸体を中心として回旋するように、上記第一のギアや第一の一方向軸受、上記軸受及び上記第二のギアに貫設され、固定柱体で、上記第一のギア、第一の一方向軸受、上記軸受及び上記第二のギアを固定する軸体と
が含有されることを特徴とする請求項３９に記載のモップ清掃セット。
【請求項４１】
上記螺旋ユニットセットに、
表面に、スクリューが形成される螺旋スリーブと
頂部に、上記螺旋スリーブが嵌設され、スクリュー係合部で、上記スクリューと係合し、底部が、上記内部棒の頂端の内部に固定され、上記弛み防止ナットセットで、上記第三のギアにロックされ、上記第一のギアが、上記歯列ユニット上において、上記第一の方向に移動し、上記第二のギアと上記第三のギアが連動される時、上記螺旋スリーブが、上記第三のギアによって連動されて、上記螺旋体が、上記スクリュー係合部に係合することにより、上記内部棒固定部材が、連動されて回転し、上記内部棒を、上記第二の方向に回旋させる内部棒固定部材と    
が含有されることを特徴とする請求項４０に記載のモップ清掃セット。
【請求項４２】
上記モップ構造に、更に、
上記外部棒の頂端に嵌設され、上記外部棒の安定性が向上されるスリーブと、
上記外部棒の内部に設置され、上記回転駆動ギアセッの上記ハウジング上に連結され、自身の回復力により、上記第一のギアを附勢して、上記歯列ユニット上において、第三の方向へ移動させるバネと、
上記内部棒の頂端の外部に嵌設され、上記内部棒が、上記外部棒の内部において、移動する時、上記緩衝スリーブにより、上記外部棒が、直接に、上記清掃部材盤に衝撃することを防止する緩衝スリーブと
が含有される、ことを特徴とする請求項４０に記載のモップ清掃セット。
【請求項４３】
上記清掃部材盤に、
底部に、清掃部材が連結される清掃部材固定盤と、
上記内部棒に連結され、枢着ユニットにより、上記清掃部材固定盤に枢着連結される内部棒連結部材と
が含有されることを特徴とする請求項３９に記載のモップ清掃セット。
【考案の詳細な説明】
【技術分野】
【０００１】
本考案は、モップ清掃セットに関するものであり、さらに詳しくは、モップ構造と脱水装置を有し、脱水装置で、モップ構造の脱水可能なモップ構造セットに関するものである。
【背景技術】
【０００２】
一般の、床を清掃するモップ清掃セットは、モップ構造と脱水装置を有し、上記脱水装置により、モップ構造が脱水されるように構成されたものである。図１は、従来の脱水装置構造を示したものであり、上記の、従来の脱水装置構造１には、脱水かご１０、連結棒体１１及び基座１２が備えられてある。上記脱水かご１０が、上記連結棒体１１の一端に連結され、主として、モップ（図に未表示）を設置して脱水し、上記連結棒体１１の他端が、上記基座１２の貫通孔１２１の中に設置してある。また、モップを脱水する過程において、上記脱水かご１０が、モップの重量を負荷するため、上記連結棒体１１が、上記基座１２の中に沈むことを防止することができる。そのため、従来の脱水装置構造は、係止リング１３（例えば、Ｃリング）で、上記連結棒１１を係止し、これにより、上記連結棒体１１が、より硬く上記基座１２の上記貫通孔１２１の中に固定される。
【０００３】
しかし、上記の構造において、上記連結棒体１１が、上記係止リング１３だけで、上記基座１２の上記貫通孔１２１の中に固定されるため、ユーザーが、脱水を、繰り返して行う場合、上記係止リング１３が、常に瞬間的に重量の大きい負荷を受けるので、変形し、又は、脱落する可能性があり、それ故に、構造全体が、上記係止リング１３の破壊により、作動不能となり、耐用寿命が大幅に低減するという問題が提起されてきた。
【考案の概要】
【考案が解決しようとする課題】
【０００４】
従って、本考案の課題は、モップ構造を有する清掃用具であって、効率よく円滑に脱水することができ、かつ清掃作業を効率よく行うことができるモップ清掃具を提供することにある。
【課題を解決するための手段】
【０００５】
そこで、本考案者は、上記の本考案の課題を解決するため鋭意検討を重ねた結果、モップ構造と脱水装置を有し、上記脱水装置を利用して、モップ構造を脱水させる際に、遠心力を制御できるように構成することにより、モップ構造を、脱水する時、固定され、また、回転して脱水する過程において、遠心力が大きすぎることにより、投げ出されることなく、実用性が向上したモップ清掃セットを提供できることに着目して本考案に想到した。
【０００６】
かくして、請求項１の考案によれば、モップ構造と脱水装置が備えられるモップ清掃セットであって、モップ構造を脱水させるための上記脱水装置は、貫通孔が形成される基座と、モップを負荷し、上記基座の上方に位置し、底部に、棒体貫設部が設けられるモップ負荷ユニットと、上記モップ負荷ユニットの底部に設けられる上記棒体貫設部と、上記基座に形成される上記貫通孔に貫設され、第一の突出部と第二の突出部が形成されてあり、上記第一の突出部が、上記モップ負荷ユニットの底部表面と上記基座の頂部表面との間に位置し、上記モップ負荷ユニットを支持し、上記基座に形成される上記貫通孔の下方に位置する上記第二の突出部により、上記基座に形成される上記貫通孔に固定される棒体と、によって構成され、上記のモップ構造が、握り棒と、清掃体を負荷固定し、第一の部分固定基座と第二の部分固定基座とが備えられ、上記第一の部分固定基座が、上記握り棒に連結される固定基座と、可撓性材質からなり、上記固定基座に設けてある上記第一の部分固定基座と上記第二の部分固定基座とを連結し、可撓性により、上記第二の部分固定基座に、外力が印加されると、第一の方向又は第二の方向へ畳んで収納される連結部と、によって構成されることを特徴とするモップ清掃セットが提供される。
【０００７】
請求項２の考案によれば、上記脱水装置が、さらに、上記棒体に嵌設されて、上記第一の突出部と上記基座頂部表面との間に位置し、上記第一の突出部によって附勢され、上記第一の突出部が、直接に、上記基座頂部表面に附勢することを防止する第一の金属リングと、上記棒体に嵌設され、上記第二の突出部と上記貫通孔底部との間に位置し、上記第二の突出部によって附勢され、上記第二の突出部が、直接に上記基座に形成してある上記貫通孔の底部に附勢することを防止する第二の金属リングとが含有されることを特徴とする請求項１に記載のモップ清掃セットが提供される。
【０００８】
請求項３の考案によれば、上記第二の突出部が、上記第二の金属リングにプレス成形されてなることを特徴とする請求項２に記載のモップ清掃セットが提供される。
【０００９】
請求項４の考案によれば、上記棒体に形成してある上記第一の突出部が、円弧状の造型であることを特徴とする請求項１に記載のモップ清掃セットが提供される。
【００１０】
請求項５の考案によれば、上記基座に、更に、固定柱体によって上記基座の底部に連結される吸盤が設置されてあり、上記基座が、上記吸盤を利用して、任意の平坦表面に吸着固定するように構成されたことを特徴とする請求項１に記載のモップ清掃セットが提供される。
【００１１】
請求項６の考案によれば、上記脱水装置に、更に、上記モップ負荷ユニットに位置し、ロックや係入により、上記棒体の貫設部に実装されて、上記モップを固定するモップ固定素子と、上記モップ負荷ユニットの外側に嵌設され、上記モップ負荷ユニットの外側を、上下に移動でき、上記モップが、上記モップ負荷ユニットに位置して脱水される時、切り出された水分が、行き止められるストッパー板からなることを特徴とする請求項１に記載のモップ清掃セットが提供される。
【００１２】
請求項７の考案によれば、上記モップ固定素子が、円柱体又は円形帽子体の造型であることを特徴とする請求項６に記載のモップ清掃セットが提供される。
【００１３】
請求項８の考案によれば、上記ストッパー板と上記モップ負荷ユニットとの外壁からなす夾角が、９０度よりも小さいことを特徴とする請求項６に記載のモップ清掃セットが提供される。
【００１４】
請求項９の考案によれば、上記モップ負荷ユニットが、複数の孔を有する脱水かごの造型であることを特徴とする請求項１に記載のモップ清掃セットが提供される。
【００１５】
請求項１０の考案によれば、上記モップ構造に、更に、上記第一の部分固定基座と上記第二の部分固定基座の底面に設置され、上記清掃体を粘着するための粘着ユニットが設けてあり、それにより、上記清掃体が、上記第一の部分固定基座と上記第二の固定基座に固定されてなることを特徴とする請求項１に記載のモップ清掃セットが提供される。
【００１６】
請求項１１の考案によれば、上記粘着ユニットが、マジックテープ（登録商標）であることを特徴とする請求項１０に記載のモップ清掃セットが提供される。
【００１７】
請求項１２の考案によれば、上記連結部が、上記第一の部分固定基座と上記第二の部分固定基座に一体成形されてなることを特徴とする請求項１に記載のモップ清掃セットが提供される。
【００１８】
請求項１３の考案によれば、上記第二の部分固定基座に、それぞれ、上記連結部によって上記第一の部分固定基座の両端に連結される第一の板体と第二の板体が設けてあることを特徴とする請求項１に記載のモップ清掃セットが提供される。
【００１９】
請求項１４の考案によれば、上記第一の板体と上記第二の板体が、外力により、上記第一の方向へ畳まれ、上記第一の板体と上記第二の板体が、上方へ畳まれることにより、上記第一の部分固定基座に合わせて、逆∩形状になることを特徴とする請求項１３に記載のモップ清掃セットが提供される。
【００２０】
請求項１５の考案によれば、上記第一の板体と上記第二の板体が、外力により、上記第二の方向へ畳まれ、上記第一の板体と上記第二の板体が、下方へ畳まれることにより、上記第一の部分固定基座に合わせて、∩形状になることを特徴とする請求項１３に記載のモップ清掃セットが提供される。
【００２１】
請求項１６の考案によれば、上記連結部の上方と下方に、それぞれ、空間が形成され、上記空間が、上記連結部と上記第一の部分固定基座の側壁と、上記第二の部分固定基座の側壁とによって囲まれて形成され、上記第二の部分固定基座が、外力によって附勢されると、上記空間によって上記第二の部分固定基座が畳まれることに必要とする移動範囲が供給されることを特徴とする請求項１に記載のモップ清掃セットが提供される。
【００２２】
請求項１７の考案によれば、上記第一の部分固定基座の側壁と上記第二の部分固定基座の側壁が、斜面構造や円弧形状構造であることを特徴とする請求項１６に記載のモップ清掃セットが提供される。
【００２３】
請求項１８の考案によれば、上記第一の部分固定基座の底面において、中心に、脱水機能を有するバケツを位置付けする位置付けユニットが設けてあり、これにより、上記固定基座が、脱水作業の際、確実に脱水機能を有するバケツに固定されることを特徴とする請求項１に記載のモップ清掃セットが提供される。
【００２４】
請求項１９の考案によれば、上記モップ構造に、更に、枢着ユニットが設けてあり、上記握り棒及び上記固定基座に枢着され、上記固定基座が、上記握り棒を軸心として、異なる角度に回旋できるように構成したことを特徴とする請求項１に記載のモップ清掃セットが提供される。
【００２５】
請求項２０の考案によれば、上記清掃体が、モップ布やスポンジ又は清掃用ペーパであることを特徴とする請求項１に記載のモップ清掃セットが提供される。
【００２６】
請求項２１の考案によれば、モップ構造と脱水装置が備えられるモップ清掃セットであって、モップ構造を脱水させるための上記脱水装置が、貫通孔が形成される基座と、モップを負荷し、上記基座の上方に位置し、底部に、棒体貫設部があるモップ負荷ユニットと、上記モップ負荷ユニットの底部に設けてある上記棒体貫設部と、上記基座にある上記貫通孔に、貫設され、第一の突出部と第二の突出部が形成されてあり、上記第一の突出部が、上記モップ負荷ユニットの底部表面と上記基座の頂部表面との間に位置し、上記モップ負荷ユニットを支持し、上記基座に形成されてある上記貫通孔の下方に位置する上記第二の突出部により、上記基座に形成されてある上記貫通孔に固定される棒体と、によって構成され、上記モップ構造が、握り棒とスリーブ及び中空の第一の柱体からなり、上記握り棒が、握り部と中空の棒部から構成され、上記スリーブが、第一のリングと第二のリングから構成され、上記第一のリングの内径が、上記第二のリングの内径よりも大きく、上記第一のリングが、上記握り棒の上記棒部に嵌設され、上記第一の柱体が、上記握り棒の上記棒部内に固定され、上記第一の柱体の内壁面に、第一の雌ねじが設けてある握持ユニットと、弾性素子、螺条、一方向軸受、ボス、連結棒及び固定棒を有し、上記ボスに、第三のリングと第四のリングがあり、上記第三のリングの内径が、上記第四のリングの内径よりも大きく、上記一方向軸受が、上記第三のリング内に収納され、上記連結棒が、中空構造で、一端の内壁面に、第二の雌ねじが設置され、他端の内、外に、それぞれ、緊密に上記ボスに当接して、上記スリーブの上記第二のリングに嵌設され、また、一部が、上記握り棒内に挿入され、上記固定棒の一端に、上記連結棒の上記第二の雌ねじに螺着される第二の雄ねじが形成され、上記弾性素子が、上記螺条の外側に嵌設され、上記弾性素子の両端が、それぞれ、上記第一の柱体底部と上記連結棒の頂部に当接し、上記螺条の棒体に、雄ねじが形成され、上記螺条の一端において、適当な位置に第一のリング槽が形成された第二の柱体が緊密に嵌設され、上記螺条の他端において、軸方向に、適当な位置に第二のリング槽が形成された第三の柱体が伸び、上記第一のリング槽と上記第二のリング槽に、それぞれ、第一のリング部材と第二のリング部材が嵌設され、上記第二の柱体が、上記第一のリング槽外に設けてある上記第一のリング部材に嵌設されることにより、上記第二の柱体が、上記螺条の頂部に当接し、上記螺条が、上記スリーブに貫通して上記第一の雄ねじで、上記第一の柱体の上記第一の雌ねじに、回旋可能に螺合されるように、緊密に上記第二の柱体の一端に嵌設され、上記螺条から伸びた上記第三の柱体の一端が、上記第三の柱体を上記一方向軸受と上記ボスに貫通して、上記第二のリング槽の上記第二のリング部材に嵌設されることにより、上記第四のリング底部に当接する回旋ユニットと、上記固定棒の上記第二の雄ねじから離れた一端に連結される結合ユニットとが含有されることを特徴とするモップ清掃セットが提供される。
【００２７】
請求項２２の考案によれば、上記結合ユニットが、グリップと第一の可動部材、第二の可動部材、位置付け部材及び結合座からなり、上記結合座の底部に、清掃体が接続され、上記結合座の頂面に、結合凹みが形成され、上記グリップの一端が、上記回旋ユニットの上記固定棒の上記第二の雄ねじから離れた一端に連結され、上記グリップの他端が、上記第一の可動部材に連結され、上記第一の可動部材が、約Ｕ形状構造で、底壁と両側壁があり、上記底壁が、上記グリップに連結され、上記両側壁が、それぞれ、ほぼ垂直の角度で、上記底壁の両側端から、上記固定棒から離れる方向へ伸び、上記両側壁の上記底壁から離れた一端において、軸方向に、凸縁が伸び、上記両側壁の内側面に、突出が設けられ、上記位置付け部材が、除去可能に上記結合凹み内に嵌設され、上記位置付け部材が、本体と上記本体に設置されたリング状係合部を有し、上記本体が、上記結合凹みに合わせて、制限空間が形成され、上記係合部によって貫通孔が形成され、上記係合部の頂部が、上記第一の可動部材の上記凸縁によって押さえられ、上記第二の可動部材が、円盤状の底座と結合柱を有し、上記底座の厚さが、上記制限空間の高さよりも小さく、上記結合柱が、上記底座に設置され、上記結合柱の両側に、それぞれ、枢着凹槽が設けられ、上記第二の可動部材が、上記結合柱で、上記位置付け部材の上記貫通孔に貫通して、上記枢着凹槽に、枢着可能に、上記第一の可動部材の上記突出を固定し、また、上記底座が、上記制限空間内に収納されることを特徴とする請求項２１に記載のモップ清掃セットが提供される。
【００２８】
請求項２３の考案によれば、上記第一のリング部材と上記第二のリング部材が、Ｃリングであることを特徴とする請求項２１に記載のモップ清掃セットが提供される。
【００２９】
請求項２４の考案によれば、上記弾性素子が、圧縮バネであることを特徴とする請求項２１に記載のモップ清掃セットが提供される。
【００３０】
請求項２５の考案によれば、上記結合座が回旋する場合、上記第一の可動部材の軸方向と上記位置付け部材の平面とが、鋭角をなすようにすると、上記凸縁を、上記位置付け部材の上記係合部頂面から脱離させ、上記結合座が、自由状態になって回旋することができるように構成したことを特徴とする請求項２２に記載のモップ清掃セットが提供される。
【００３１】
請求項２６の考案によれば、上記結合座を固定する場合、上記第一の可動部材の軸方向と上記位置付け部材の平面とが、直角をなすようにすると、上記凸縁を、上記位置付け部材の上記係合部頂面に当接させ、上記枢着凹槽で、枢着可能に、上記第一の可動部材の上記突出を固定することにより、上記第二の可動部材の上記底座が、上記位置付け部材の上記係合部底面に密着し、同時に、上記第一の可動部材の上記凸縁が、上記係合部に押さえることにより、上記結合座が、緊密に固定されることを特徴とする請求項２２に記載のモップ清掃セットが提供される。
【００３２】
請求項２７の考案によれば、  ユーザーが、脱水する時、上記結合座を、上記緊密状態にさせ、上記結合座とそれに連結された上記清掃体を、脱水装置にセットさせ、上記脱水装置に、回旋可能のモップ負荷ユニットが設けてあり、上記結合座とそれに連結された上記清掃体が、上記モップ負荷ユニット内にセットされ、この時、上記握り棒を、下方へ押さえると、上記第一の柱体底部と上記連結棒頂部で、上記弾性素子が圧迫され、其の同時に、上記第一の雌ねじと上記第一の雄ねじとが、互いに作用し、上記回旋ユニットと上記結合ユニットが、同期に、同一方向に回旋でき、その後、上記弾性素子の回復力により、それに加えて、上記第一の雌ねじと上記第一の雄ねじ及び上記一方向軸受の作用に合わせて、上記握り棒が、自動的に上方へ変位し、それにより、上記回旋ユニットと上記結合ユニットとが、同期に、上記の同一方向に回旋でき、これにより、上記モップ負荷ユニットが連動されて回旋され、遠心力を利用して、上記清掃体の水分を脱水するように構成されたことを特徴とする請求項２６に記載のモップ清掃セットが提供される。
【００３３】
請求項２８の考案によれば、上記同一方向が、時計回り又は逆時計回りであることを特徴とする請求項２７に記載のモップ清掃セットが提供される。
【００３４】
請求項２９の考案によれば、上記清掃体が、マップ布であることを特徴とする請求項２２に記載のモップ清掃セットが提供される。
【００３５】
請求項３０の考案によれば、モップ構造と脱水装置が備えられるモップ清掃セットであり、モップ構造を脱水させるための上記脱水装置が、貫通孔が形成される基座と、上記基座の上方に位置し、底部に、棒体貫設部が設けられてあり、モップを負荷するモップ負荷ユニットと、それぞれ、上記モップ負荷ユニットの底部の上記棒体貫設部と上記基座に形成されてある上記貫通孔に、貫設され、第一の突出部と第二の突出部が設けられてあり、上記第一の突出部が、上記モップ負荷ユニットの底部表面と上記基座の頂部表面との間に位置し、上記モップ負荷ユニットを支持し、上記基座に形成されてある上記貫通孔の下方に位置する上記第二の突出部により、上記基座に形成されてある上記貫通孔に固定される棒体と、から構成され、上記モップ構造が、内壁に、複数の制限突出が設置され、上記制限突出が、等距離に、対向するように、二列に、配列され、内壁の一端に、制限凸縁が設けてある第一のケーシングと、上記第一のケーシングの下方に位置し、上記第一のケーシング内において、任意に伸縮するように移動できる第二のケーシングと、上記第二のケーシングの下方に位置し、一端に、マップ布が実装されるダイヤルセットが嵌設される第三のケーシングと、一体成形の上記第一のケーシングと上記第二のケーシングとの間に設置される第一の連結スリーブと、第二の連結スリーブと、上記第一のケーシングの内部に設置され、周りに少なくとも一つのスクリューがあり、内部に貫通孔が設けられてある案内螺条と、弾性材料からなり、第一の挿入孔が設けられてある第一のプランジャーと、上記貫通孔の内部に設置され、一端に、スクリュー部があり、上記第一の挿入孔に螺着され、上記案内螺条と上記第一のプランジャーとを、一体に連結する第一の位置付け栓と、によって構成されることを特徴とするモップ清掃セットが提供される。
【００３６】
請求項３１の考案によれば、上記第二の連結スリーブが、上記第二のケーシングと上記第三のケーシングとの間に設置され、上記第三のケーシングが、脱離せずに、上記第二のケーシングの延伸になることを特徴とする請求項３０に記載のモップ清掃セットが提供される。
【００３７】
請求項３２の考案によれば、上記第二の連結スリーブの下方に、弾性材料からなり、第二の挿入孔を有する第二のプランジャーが嵌設されることを特徴とする請求項３１に記載のモップ清掃セットが提供される。
【００３８】
請求項３３の考案によれば、上記第二の連結スリーブの上方に、上記第二の連結スリーブの内部に設置され、一端が、上記第二の挿入孔に挿入され、第二のケーシングと上記第三のケーシングとが、一体に連結されるための第二の位置付け栓が嵌設されてなることを特徴とする請求項３２に記載のモップ清掃セットが提供される。
【００３９】
請求項３４の考案によれば、上記第一のケーシングに、一端に、引受け孔が設けられてあり、他端に、吊下げ孔が設けられてある握りカバーが嵌設され、上記引受け孔に、上記第一のケーシングが挿入され、上記吊下げ孔によって吊下げることができることを特徴とする請求項３０に記載のモップ清掃セットが提供される。
【００４０】
請求項３５の考案によれば、モップ構造と脱水装置が備えられるモップ清掃セットであり、モップ構造を脱水させるための上記脱水装置が、貫通孔が形成される基座と、モップを負荷し、上記基座の上方に位置し、底部に、棒体貫設部が設けられてあるモップ負荷ユニットと、上記モップ負荷ユニット底部の上記棒体貫設部と上記基座に形成されてある上記貫通孔に、貫設され、第一の突出部と第二の突出部が形成されてあり、上記第一の突出部が、上記モップ負荷ユニットの底部表面と上記基座の頂部表面との間に位置し、上記モップ負荷ユニットを支持し、上記基座に形成されてある上記貫通孔の下方に位置する上記第二の突出部により、上記基座に形成されてある上記貫通孔に固定される棒体とによって構成され、上記モップ構造が、中空状で、底端に、開口が形成される外部棒と、中空貫通で、外径が、上記外部棒の内径よりも小さく、回旋可能に、上記開口を通して、上記外部棒に貫設される内部棒と、外部棒の内壁に設置される歯列ユニットと、上記歯列ユニットと上記内部棒に連結され、第一のギアと第二のギア及び第三のギアを有し、上記第一のギアが、上記歯列ユニットに噛合い、上記第二のギアが、それぞれ、上記第一のギアと上記第三のギアに噛合い、上記第二のギアが、上記第一のギアと上記第三のギアよりも大きく、外力により、上記第一のギアが、上記歯列ユニット上を、第一の方向に移動でき、上記第二のギアが、連動されて、上記第三のギアを回旋させ、そのため、上記内部棒が、上記外部棒内において、第二の方向に回旋する回転駆動ギアセットと、上記内部棒の底端に固定される清掃部材盤と、によって構成される、ことを特徴とするモップ清掃セットが提供される。
【００４１】
請求項３６の考案によれば、上記回転駆動ギアセットが、上記第一のギアと上記第二のギア及び上記第三のギアに対して固定され、上記第二のギアと上記第三のギアが、上記ハウジング内に位置し、上記第二のギアの一部が、上記ハウジングから露出しているハウジングと、軸受で、上記第一のギアに連結され、上記第一のギアが、一方向に、上記歯列ユニットに歯合して移動する第一の一方向軸受と、上記第三のギアに連結され、上記第三のギアが、一方向に、上記第二のギアに歯合して回旋する第二の一方向軸受と、上記第三のギアと上記第二の一方向軸受に対して固定し、上記第三のギアが、回旋する時、弛むことを防止する弛緩防止ナットセットと、上記第一のギア、第一の一方向軸受、上記軸受及び上記第二のギアに貫設され、固定柱体で、上記第一のギア、第一の一方向軸受、上記軸受及び上記第二のギアを固定して、上記第一のギアと上記第二のギアが、上記軸体を中心として、回旋する軸体とによって構成される、ことを特徴とする請求項３５に記載のモップ清掃セットが提供される。
【００４２】
請求項３７の考案によれば、上記モップ構造に、更に、上記外部棒の頂端に嵌設され、上記外部棒の安定性を保持するスリーブと、上記外部棒の内部に設置されて上記回転駆動ギアセットの上記ハウジング上に連結され、自身の回復力により、上記第一のギアを、上記歯列ユニットにおいて、第三の方向へ附勢して移動させるバネと、上記内部棒の頂端内部に固定され、上記弛緩防止ナットセットを介して、上記第三のギアにロックされ、上記第一のギアが、上記歯列ユニットにおいて、上記第一の方向へ移動する時、上記第二のギアと上記第三のギアが連動されて、上記内部棒固定部材によって、上記内部棒を、上記第二の方向へ回旋させる内部棒固定部材と、上記内部棒の頂端外部に嵌設され、上記内部棒が、上記外部棒内部において、移動する時、上記外部棒が、直接に、上記清掃部材盤に衝撃することを防止する緩衝ライナリングとが含有されることを特徴とする請求項３６に記載のモップ清掃セットが提供される。
【００４３】
請求項３８の考案によれば、上記清掃部材盤に、底部に、清掃部材が連結される清掃部材固定盤と、上記内部棒に連結され、枢着ユニットにより、上記清掃部材固定盤に枢着連結される内部棒連結部材と、が含有される、ことを特徴とする請求項３５に記載のモップ清掃セットが提供される。
【００４４】
請求項３９の考案によれば、上記モップ構造に、中空状で、底端に、開口が形成される外部棒と、中空貫通で、外径が、上記外部棒の内径よりも小さく、回旋可能に、上記開口を通して、上記外部棒に貫設される内部棒と、外部棒の内壁に設置される歯列ユニットと、上記歯列ユニットに連結され、第一のギアと第二のギア及び第三のギアを有し、上記第一のギアが、上記歯列ユニットに歯合し、上記第二のギアが、それぞれ、上記第一のギアと上記第三のギアに歯合し、上記第二のギアが、上記第一のギアと上記第三のギアに歯合し、外力により、上記第一のギアが、上記歯列ユニット上を、第一の方向に移動でき、上記第二のギアが、連動されて、上記第三のギアを、第二の方向に回旋させる回転駆動ギアセットと、上記回転駆動ギアセットの上記第三のギアと上記内部棒に連結され、上記第一のギアが、上記歯列ユニット上を、上記第一の方向に移動し、上記第二のギアが、連動されて、上記第三のギアを上記第二の方向に回旋させる時、上記第三のギアによって駆動されて回旋し、上記内部棒が、連動されて、上記外部棒内において、上記第二の方向に回旋する螺旋ユニットセットと、上記内部棒の底端に固定される清掃部材盤とが含有されることを特徴とする請求項３５に記載のモップ清掃セットが提供される。
【００４５】
請求項４０の考案によれば、上記回転駆動ギアセットに、更に、内部に、上記第二のギアと上記第三のギアが位置し、上記第二のギアの一部が、露出するように、上記第一のギアと上記第二のギア及び上記第三のギアを固定するハウジングと、上記第一のギアが、一方向に、上記歯列ユニットに歯合して移動するように、上記第一のギアに連結される；第一の一方向軸受と、上記第三のギアが、一方向に、上記第二のギアに噛合って回旋するように、上記第三のギアに連結される第二の一方向軸受と、上記第三のギアが、回旋する時、脱離することないように、上記第三のギアと上記第二の一方向軸受及び上記螺旋ユニットセットを固定する弛み防止ナットセットと、上記第一のギアと上記第二のギアが、上記軸体を中心として回旋するように、上記第一のギアや第一の一方向軸受、上記軸受及び上記第二のギアに貫設され、固定柱体で、上記第一のギアや第一の一方向軸受、上記軸受及び上記第二のギアを固定する軸体とが含有されることを特徴とする請求項３９に記載のモップ清掃セットが提供される。
【００４６】
請求項４１の考案によれば、上記螺旋ユニットセットに、表面に、スクリューが形成される螺旋スリーブと、頂部に、上記螺旋スリーブが嵌設され、スクリュー係合部で、上記スクリューと係合し、底部が、上記内部棒の頂端の内部に固定され、上記弛み防止ナットセットで、上記第三のギアにロックされ、上記第一のギアが、上記歯列ユニット上において、上記第一の方向に移動し、上記第二のギアと上記第三のギアが連動される時、上記螺旋スリーブが、上記第三のギアによって連動されて、上記螺旋体が、上記スクリュー係合部に係合することにより、上記内部棒固定部材が、連動されて回転し、上記内部棒を、上記第二の方向に回旋させる内部棒固定部材とが含有されることを特徴とする請求項４０に記載のモップ清掃セットが提供される。
【００４７】
請求項４２の考案によれば、上記モップ構造に、更に、上記外部棒の頂端に嵌設され、上記外部棒の安定性が向上されるスリーブと、上記外部棒の内部に設置され、上記回転駆動ギアセッの上記ハウジング上に連結され、自身の回復力により、上記第一のギアを附勢して、上記歯列ユニット上において、第三の方向へ移動させるバネと、上記内部棒の頂端の外部に嵌設され、上記内部棒が、上記外部棒の内部において、移動する時、上記緩衝スリーブにより、上記外部棒が、直接に、上記清掃部材盤に衝撃することを防止する緩衝スリーブとが含有されることを特徴とする請求項４０に記載のモップ清掃セットが提供される。
【００４８】
請求項４３の考案によれば、上記清掃部材盤に、底部に、清掃部材が連結される清掃部材固定盤と、上記内部棒に連結され、枢着ユニットにより、上記清掃部材固定盤に枢着連結される内部棒連結部材とが含有されることを特徴とする請求項３９に記載のモップ清掃セットが提供される。
【考案の効果】
【００４９】
本考案は、前記の通りの構成からなり、少なくとも４種の考案からなるが主要な効果は、モップ構造と脱水装置との組合せにより適度な条件で効率よく脱水処理を行なうことができ作業効率を向上させることが可能なモップ清掃セットを提供することができる。
【考案を実施するための最良の形態】
【００５０】
以下、図面を参照しながら、本考案の特徴及び技術内容について、詳しく説明するが、それらの図面等は、参考や説明のためであり、本考案は、それらによって限定されるものではない。
【００５１】
本考案に係るモップ清掃セットは、モップ構造と脱水装置を備え、上記脱水装置により、モップ構造を脱水させる。
【００５２】
図２（ａ）（ｂ）（ｃ）に示すように、本考案に係る脱水装置２は、基座２０とモップ負荷ユニット２１及び棒体２２を備え、上記基座２０には、貫通孔２０１が形成されてある。
上記モップ負荷ユニット２１は、複数の孔を有する脱水かご造型であり、上記基座２０の上方に位置し、また、上記モップ負荷ユニット２１の底部に、棒体貫設部２１１が設けられてあり、上記モップ負荷ユニット２１は、主として、モップ構造３に対応するものであり、上記棒体２２は、上記モップ負荷ユニット２１の底部の上記棒体貫設部２１１と上記基座２０の上記貫通孔２０１に貫設されてある。また、本考案の上記脱水装置２は、主としての技術手段として、上記棒体２２上に、第一の突出部２２１と第二の突出部２２２があり、上記第一の突出部２２１が、円弧状の造型で、上記モップ負荷ユニット２１の底部表面２１０１と上記基座２０の頂部表面２００１との間に位置し、主として、上記モップ負荷ユニット２１を支持し、そして、上記第二の突出部２２２が、上記基座２０の上記貫通孔２０１の下方に位置し、主として、上記棒体２２を、上記基座２０の上記貫通孔２０１に固定する。
【００５３】
上記の技術に係る説明によれば、図２（ａ）（ｂ）のように、本考案に係る脱水装置２には、更に、第一の金属リング２３と第二の金属リング２４とがあり、上記第一の金属リング２３が、上記棒体２２に嵌設されて、上記第一の突出部２２１と上記基座２０の頂部表面２００１との間に位置し、上記第一の突出部２２１によって附勢されることにより、上記第一の突出部２２１が、直接に、上記基座２０の頂部表面２００１に附勢することを防止でき、上記第二の金属リング２４が、上記棒体２２に嵌設され、上記第二の突出部２２２と上記貫通孔２０１の底部との間に位置し、上記第二の突出部２２２によって附勢されることにより、上記第二の突出部２２２が、直接に、上記基座２０の上記貫通孔２０１の底部に附勢することを防止する。
【００５４】
本考案に係る脱水装置２において、上記基座２０の底部２０２に、複数の吸盤２５が設置され、上記吸盤２５が、それぞれ、固定柱体２５１により、上記基座２０の底部２０２に連結され、上記吸盤２５を設置することにより、上記基座２０を、任意の平坦な表面、例えば、床や脱水バケツに吸着固定することができる。また、固定された後、上記モップ負荷ユニット２１を外力により駆動して、回転脱水動作を行うことができる（従来の技術によるものであるため、図に未表示）。上記各素子を結合すると、その構造の外観が、図２（ｃ）のようになる。
【００５５】
また、図３は、本考案の脱水装置２の上記第二の突出部２２２の形成形態図である。上記第二の突出部２２２は、プレス・ヘッド３１で、下から上へプレスした後、上記第二の突出部２２２が、上へ変形して、上記第二の金属リング２４に固定され、プレス方式によって形成された上記第二の突出部２２２により、上記棒体２２が、より安定的に上記基座２０の上記貫通孔２０１に固定され、また、上記第一の突出部２２１を設置することに合わせて、脱水装置全体の構造安定性が改善され、耐用寿命が大幅に向上する。
【００５６】
また、図４（ａ）（ｂ）のように、本考案に係る上記脱水装置２には、更に、モップ固定素子２６とストッパー板２７が設けられてあり、上記モップ固定素子２６は、上記モップ負荷ユニット２１の中に位置し、ロックや係入によって上記棒体貫設部２１１に連結され、主たる機能が、モップ構造３をより堅く固定でき、モップ構造３が、回転脱水の過程において、遠心力が大きすぎるため、投げ出されることなく、また、上記モップ固定素子２６の造型は、図４（ａ）のような円柱体造型であってもいいし、図４（ｂ）のような円形帽子体の造型でもよい。また、上記ストッパー板２７は、上記モップ負荷ユニット２１の外側に嵌設され、また、上記モップ負荷ユニット２１の外側において、上下に移動させることができる。そして、上記ストッパー板２７と上記モップ負荷ユニット２１との外壁の夾角が、９０度より小さく、上記モップ構造３が、上記モップ負荷ユニット２１の中に設置されて脱水を行う時、上記ストッパー板２７により、非脱出された水分を停止することができる。
【００５７】
以上の技術説明によれば、本考案に係る脱水装置２は、主な技術手段が、上記モップ負荷ユニット２１と上記基座２０とが連結された棒体２２上に、上記第一の突出部２２１と上記第二の突出部２２２とが形成されたことにあり、上記第一の突出部２２１と上記第二の突出部２２２を形成することにより、構造全体として、より安定的になり、また、各素子同士の間において、磨耗を大幅に低減することができる。
【００５８】
上記の説明から分かるように、モップ構造の脱水装置を、いかに使用でき、また、本考案は、モップ構造を有し、図５は、本考案に係るモップ構造の第一の実施形態の図である。上記モップ構造４は、握り棒４０と固定基座４１及び連結部４２を備えたものである。上記固定基座４１は、第一の部分固定基座４１１と第二の部分固定基座４１２を備え、上記固定基座４１は、主として、清掃体（図に未表示）を負荷して固定する。上記第一の部分固定基座４１１は、枢着ユニット４３によって、上記握り棒４０に枢着連結され、上記枢着ユニット４３を設置することにより、上記固定基座４１１が、上記握り棒４０を軸心として、異なる角度に回旋できるので、ユーザーが、モップ構造４を利用して、清掃する時、異なる清掃角度に応じて、上記固定基座４１を、最適な角度に回旋することができる。そして、本考案に係るモップ構造４は、主な技術手段が、上記第二の部分固定基座４１２と上記第一の部分固定基座４１１とを連結する上記連結部４２にある。そして、上記連結部４２は、主として、可撓性材質からなり、上記連結部４２の有する可撓性質により、上記第二の部分固定基座４１２が、外力の印加に応じて、第一の方向及び第二の方向に折り畳まれる。また、上記連結部４２により上記第一の部分固定基座４１１と上記第二の部分固定基座４１２は、生産過程において、一体成形される。そのため、本考案に係るモップ構造４は、先行技術に記載されたモップ構造（主体板と両端側板が、複数の素子によって連結される）に比較すると、有効に、コストを低減することができ、また、耐用寿命も、素子の簡素化により、故障の確率が大幅に低下されるので大幅に改善される。以下、本考案に係るモップ構造４に備えられた各素子の構造について詳しく説明する。
【００５９】
図６（ａ）（ｂ）（ｃ）は、本考案に係るモップ構造４の使用状態の概念図であり、図６（ａ）から分かるように、上記第二の部分固定基座４１２は、それぞれ上記連結部４２によって上記第一の部分固定基座４１１の両端に連結される第一の板体４１２１と第二の板体４１２２を備え、ユーザーが、上記モップ構造４を、脱水装置を有するバケツ（図に未表示）に設置して脱水する時、ユーザーが、上記固定基座４１に印加した外力に応じて、上記第一の板体４１２１と上記第二の板体４１２２が、上方（図において、矢印の方向）へ折り畳まれて、上記第一の板体４１２１と上記第二の板体４１２２と上記第一の部分固定基座４１１とが、逆∩形状になり、それに応じて、上記固定基座４１の体積が縮小され、使用されるバケツの体積を低減することができる。また、脱水作業がより迅速に完成でき、また、図６（ｂ）のように、上記第一の板体４１２１と上記第二の板体４１２２とが、上方へ折り畳まれるだけでなく、ユーザーが、上記固定基座４１に対して印加した外力に応じて、下方（図において、矢印の方向）へ折り畳まれることができ、上記第一の板体４１２１と上記第二の板体４１２２及び上記第一の部分固定基座４１１とが、∩形状になり、同じように、使用されたバケツの体積を低減できる。また、脱水作業がより迅速に完成できる。図６（ｃ）は、本考案に係る上記モップ構造４と脱水装置２による脱水作業を示す状態図である。
【００６０】
図７は、本考案に係るモップ構造４の位置付けユニット４４の概念図である。上記位置付けユニット４４は、上記第一の部分固定基座４１１の底面の中心に位置し、上記モップ構造４の固定基座４１が、脱水装置に設置されて（図６（ｃ）のように）、脱水作業を行う時、脱水作業が、高速回転下で行い、高速回転により、上記モップ構造４の上記固定基座４１が、遠心力が大きすぎて投げ出されることを防止でき、上記位置付けユニット４４により、上記固定基座４１が、脱水装置を有するバケツ上に安定的に位置付けられ、これにより、ユーザーが、本考案に係るモップ構造４を脱水する作業による危険性を低減できる。
【００６１】
図８は、本考案に係るモップ構造４の粘着ユニット４５の概念図である。上記粘着ユニット４５は、上記第一の部分固定基座４１１と上記第二の部分固定基座４１２の底面に設置され、主として、例えば、モップ布やスポンジ或いは清掃ペーパ等の清掃体を粘着し、それにより、清掃体が、上記第一の部分固定基座４１１と上記第二の固定基座４１２の上に固定され、上記粘着ユニット４５は、例えば、マジックテープ（登録商標）等の粘着力を有する物質であれば良い。
【００６２】
図９は、本考案に係るモップ構造４の上記連結部４２の細部構造概念図である。上記連結部４２の上方と下方に、それぞれ、空間４６があり、上記空間４６は、上記連結部４２と上記第一の部分固定基座４１１の側壁４１１０と、上記第二の部分固定基座４１２の側壁４１２０とによって形成され、上記第二の部分固定基座４１２が、外力によって附勢される時、上記空間４６により、上記第二の部分固定基座４１２が折り畳まれるための移動範囲が提供され、また、上記第一の部分固定基座４１１の側壁４１１０と上記第二の部分固定基座４１２の側壁４１２０は、折り畳まれることに応じて、必要とする上記空間４６の大きさや造型を変化してもよく、例えば、図において、上記連結部４２の上方において、上記第一の部分固定基座４１１の側壁４１１０と上記第二の部分固定基座４１２の側壁４１２０が、斜面構造であり、また、上記連結部４２の下方において、上記第一の部分固定基座４１１の側壁４１１０と上記第二の部分固定基座４１２の側壁４１２０が、円弧形状構造である。
【００６３】
以上の技術説明を纏めると、本考案に係るモップ構造４は、主な技術手段である上記第二の部分固定基座４１２と上記第一の部分固定基座４１１とを連結する上記連結部４２が、主として、可撓性材質からなり、上記連結部４２の可撓性質により、上記第二の部分固定基座４１２が、外力によって附勢することに応じて、第一の方向や第二の方向へ折り畳まれ、上記連結部４２が、上記第一の部分固定基座４１１と上記第二の部分固定基座４１２に、生産過程において、一体成形される。そのため、本考案に係るモップ構造４は、有効にコストを低減でき、また、耐用寿命についても、素子の簡素化により、故障の確率が大幅に低下する。
【００６４】
以下は、本考案に係るモップ構造の第二の実施形態の図面に関する説明である。図１０、１１、１２図（ａ）と図１２（ｂ）に示すように、本考案に係るモップ構造５は、握り持ちユニット５２と回旋ユニット５３及び結合ユニット５４を備える。
【００６５】
握り持ちユニット５２は、最上方に位置し（図１０において）、握り棒５２１とスリーブ５２２及び中空の第一の柱体５２３からなり、握り棒５２１は、握り部５２１１と中空の棒部５２１２から構成され、スリーブ５２２は、第一のリング５２２１と第二のリング５２２２から構成され、第一のリング５２２１の内径が、第二のリング５２２２の内径よりも大きく、第一のリング５２２１が、握り棒５２１の棒部５２１２に嵌設され、第一の柱体５２３が、握り棒５２１の棒部５２１２の内部に設置され、第一の柱体５２３の内壁面に、第一の雌ねじ５２３１がある。
【００６６】
回旋ユニット５３は、弾性素子５３１と螺条５３２、一方向軸受５３３、ボス５３４、連結棒５３５及び固定棒５３６を備え、ボス５３４は、第三のライナリング５３４１と第四のライナリング５３４２を有し、第三のライナリング５３４１の内径が、第四のライナリング５３４２の内径よりも大きく、一方向軸受５３３は、第三のライナリング５３４１内に収納され、連結棒５３５は、中空構造で、一端の内壁面に、第二の雌ねじ５３５１が設置され、もう一端の内、外に、それぞれ、緊密に、ボス５３４とスリーブ５２２の第二のリング５２２２が嵌設され、また、一部が、握り棒５２１内に挿入され、固定棒５３６の一端に、連結棒５３５の第二の雌ねじ５３５１に螺着する第二の雄ねじ５３６１が形成される。
【００６７】
弾性素子５３１は、両端が、それぞれ、第一の柱体５２３の底部と連結棒５３５の頂部に当接し、螺条５３２の棒体は、第一の雄ねじ５３２１を有し、螺条５３２の一端が、緊密に、第二の柱体５３２２が貫設され、第二の柱体５３２２において、適当な位置に、第一のリング槽５３２３が設置され、螺条５３２のもう一端に、軸方向に伸びる第三の柱体５３２４が設置され、第三の柱体５３２４において、適当な位置に、第二のリング槽５３２５が設置され、第一のリング槽５３２３と第二のリング槽５３２５に、それぞれ、第一のリング部材５３２６と第二のリング部材５３２７が貫設され、第一のリング部材５３２６と第二のリング部材５３２７が、Ｃリングであるが、それによって制限されることなく、第二の柱体５３２２は、第一のリング槽５３２３の外にある第一のリング部材５３２６に嵌設されることにより、螺条５３２の頂部に抵当し、螺条５３２に、緊密に、第二の柱体５３２２の一端が貫設され、スリーブ５２２に通して、第一の雄ねじ５３２１で、第一の柱体５２３の第一の雌ねじ５２３１に回旋可能に螺合され、螺条５３２に、第三の柱体５３２４の一端が伸び、第三の柱体５３２４が、一方向軸受５３３とボス５３４に貫設して、第二のリング槽５３２５上に嵌設された第二のリング部材５３２７で、第四のライナリング５３４２の底部に抵当する。
【００６８】
結合ユニット５４は、グリップ５４１と第一の可動部材５４２、第二の可動部材５４３、位置付け部材５４４及び一結合座５４５を備え、結合座５４５の底部に、例えば、マップ布のような清掃体５５が連結され、あた、結合座５４５の頂面に、結合座槽５４５１が形成される。
【００６９】
グリップ５４１は、一端が、回旋ユニット５３の固定棒５３６の第二の雄ねじ５３６１から離れた一端に連結され、グリップ５４１のもう一端が、第一の可動部材５４２に連結される。
【００７０】
第一の可動部材５４２は、約Ｕ形構造で、底壁５４２１と両側壁５４２２を備え、底壁５４２１が、グリップ５４１に連結され、両側壁５４２２が、底壁５４２１と、ほぼ垂直の角度で、それぞれ、底壁５４２１の両側端から、固定棒５３６に離れた方向へ伸び、両側壁５４２２の底壁５４２１から離れた一端において、軸方向に、凸縁５４２３が伸び、両側壁５４２２の内側面に、突出５４２４が形成される。
【００７１】
位置付け部材５４４は、可動に、結合凹み５４５１内に嵌設され、本体５４４１と本体５４４１に設けられたリング状の係合部５４４２とを備え、本体５４４１が、開放式構造で、組み立てられてから、結合凹み５４５１に合わせて、制限空間５４４４（例えば、図１２（ｂ）のように）を定義し、係合部５４４２は、貫通孔５４４３が形成され、第一の可動部材５４２の凸縁５４２３によって圧迫されて、係合部５４４２の頂部に、抵当する。
【００７２】
第二の可動部材５４３は、円盤状の底座５４３１と結合柱５４３２を備え、底座５４３１の厚さが、制限空間５４４４の高さよりも小さく、結合柱５４３２は、底座５４３１の上に設置され、結合柱５４３２の両側に、それぞれ、枢着凹槽５４３３が形成され、第二の可動部材５４３は、結合柱５４３２を位置付け部材５４４の貫通孔５４４３に貫設することにより、枢着凹槽５４３３で、第一の可動部材５４２の突出５４２４に枢着固定され、また、底座５４３１が、制限空間５４４４内に収納される。
【００７３】
結合座５４５を回旋させる場合、第一の可動部材５４２の軸方向と位置付け部材５４４の平面とを、鋭角をなすようにすると、凸縁５４２３を、位置付け部材５４４の係合部５４４２の頂面から脱離させ、これにより、結合座５４５が、自由状態になって回旋でき、この時、脱水装置を利用して、脱水を行う。
【００７４】
結合座５４５を固定させる場合、第一の可動部材５４２の軸方向と位置付け部材５４４の平面とを、直角をなすようにすると、凸縁５４２３を、位置付け部材５４４の係合部５４４２の頂面から脱離させ、また、枢着凹槽５４３３を利用して、第一の可動部材５４２の突出５４２４に枢着固定し、これにより、第二の可動部材５４３の底座５４３１が、位置付け部材５４４の係合部５４４２に密着して、結合座５４５が、圧迫される状態になって固定される。
【００７５】
図１３と１４を参照しながら、ユーザーによって、脱水を行う場合、まず、結合座５４５を、密着状態にさせ、結合座５４５と、それに連結された清掃体５５とを、例えば、マップ布を、脱水装置２の中に設置し、脱水装置２は、上記モップ負荷ユニット２１を有し、結合座５４５と、それに連結された清掃体５５とを、（例えば、マップ布）を、即ち、上記モップ負荷ユニット２１内に設置し、この時、握り棒５２１を下へ押すと、第一の柱体５２３の底部と連結棒５３５の頂部附勢弾性素子５３１及び、第一の雌ねじ５２３１と第一の雄ねじ５３２１との互いに作用することにより、回旋ユニット５３と結合ユニット５４とが、同期に、一方向Ａ（例えば、時計回りや逆時計回り）へ回旋でき、その後、弾性素子５３１の回復力を利用して、それに、第一の雌ねじ５２３１と第一の雄ねじ５３２１及び一方向軸受５３３の作用に合わせて、握り棒５２１が、自動的に上へ変位し、それとともに、回旋ユニット５３と結合ユニット５４が、同期に、一方向Ａへ回旋し、グリップ５４１が、上へ或いは下へ変位しても、回旋ユニット５３と結合ユニット５４が、同期に、一方向Ａへ回旋でき、これにより、上記モップ負荷ユニット２１が連動されて回旋され、遠心力を利用して、清掃体５５上の水分を脱水でき、これにより、操作簡単かつ安全、そして、省力的な効果が得られる。
【００７６】
弾性素子５３は、自身の回復力により、第一の柱体５２３の底部と連結棒５３５の頂部に抵当して、握り持ちユニット５２と回旋ユニット５３とが、所定の間隔を維持し、ユーザーが、本考案を利用すれば、スムーズに、床掃除を行うことができる。
【００７７】
以下は、本考案に係るモップ構造の第三の実施形態に係る図面であり、図１５乃至図１７を参照しながら、本考案に係るモップ構造は、
内壁に、複数の制限突出６００１が設置され、上記制限突出６００１が、等距離に、対向するように、二列に、配列され（図１５のように）、内壁において、一端に、制限凸縁６００２がある第一のケーシング６０と、
一端に、引受け孔６１１１があり、もう一端に、吊下げ孔６１１２があり、上記引受け孔６１１１に、上記第一のケーシング６０が挿入されて貫設され、上記吊下げ孔６１１２により吊下げることができる握りカバー６１と、
上記第一のケーシング６０の下方に位置し、上記第一のケーシング６０内において、任意に、伸縮的に移動できる第二のケーシング６２と、
上記第二のケーシング６２の下方に位置し、一端に、ダイヤルセット６３１が嵌設され、上記ダイヤルセット６３１が、マップ布６３２を有する第三のケーシング６３と、
上記第一のケーシング６０と上記第二のケーシング６２との間に位置し、上記第二のケーシング６２が、上記第一のケーシング６０の延長になり、脱離することない第一の連結スリーブ６４と、
上記第二のケーシング６２と上記第三のケーシング６３との間に位置し、上記第三のケーシング６３が、上記第二のケーシング６２の延長になり、脱離することがない第二の連結スリーブ６５と、
上記第一のケーシング６０の中に位置し、周りに、少なくとも、スクリュー６６１があり、内部に、貫通孔６６２が形成される案内螺条６６と、
弾性材料からなり、第一の挿入孔６７０１が形成される第一のプランジャー６７と、
弾性材料からなり、第二の挿入孔６７１１が形成される第二のプランジャー６７１と、
上記貫通孔６６２の中に位置し、一端に、スクリュー段６８０１があり、上記スクリュー段６８０１が、上記第一の挿入孔６７０１に螺着されて、上記案内螺条６６と上記第一のプランジャー６７とが、一体に連結される第一の位置付け栓６８と、
上記第二の連結スリーブ６５の中に位置し、一端が、上記第二の挿入孔６７１１に挿入されて、上記第二のケーシング６２と上記第三のケーシング６３とが、一体に連結される第二の位置付け栓６８１と、
が含有される。
【００７８】
以上は、本考案の各素子の構造や位置及び相互連結関係について述べ、これからは、本考案の各素子の結合やその予期の効果を説明する。
【００７９】
図１５乃至図１８を参照しながら、上記の素子から構成された本考案によれば、まず、上記第二のプランジャー６７１と上記第二の位置付け栓６８１を、それぞれ、上記第三のケーシング６３の上端と上記第二のケーシング６２の下端にに設置し、そして、上記第二の連結スリーブ６５で、上記第二のケーシング６２と上記第三のケーシング６３とを、一体に連結させる。
【００８０】
上記第一の位置付け栓６８が、上記貫通孔６６２と第一の挿入孔６７０１に貫設され、上記スクリュー段６８０１で、上記第一の挿入孔６７０１に螺着され、これにより、上記案内螺条６６と上記第一のプランジャー６７とが、一体に連結され、それから、上記案内螺条６６と上記第一のプランジャー６７とを、それぞれ、上記第一のケーシング６０と上記第二のケーシング６２に嵌設し、これにより、上記第一のケーシング６０と上記第二のケーシング６２とが、一体に連結され、また、上記案内螺条６６が、上記第一のケーシング６０に位置することにより、上記スクリュー６６１が、複数の上記制限突出６００１同士の間に位置するようになり、上記スクリュー６６１が、複数の上記制限突出６００１にそって、螺旋的に移動でき、そのため、上記案内螺条６６が、上記第一のケーシング６０の中において、上、下に変位回旋できる。
【００８１】
最後に、上記握りカバー６１を、上記第一のケーシング６０の上端に嵌設して、本考案が組み立てられた。
【００８２】
浸水された上記マップ布６３２から、余った水分を脱水するには、わずかの少数のステップだけで済み、まず、本考案（図１９のように）をモップ負荷ユニット２１の中に設置し、片手で、上記握りカバー６１を握って、軽く下へ力を印加すると、上記第二のケーシング６２が、上記第一のケーシング６０の内へ縮み、また、上記案内螺条６６を駆動して、上記スクリュー６６１が、複数の上記制限突出６００１にそって螺旋移動し、これにより、上記案内螺条６６が、上記第一のケーシング６０の中において、上へ変位回旋でき、上記第二のケーシング６２が、上記第一のケーシング６０の内へ縮む同時に、旋回でき、上記第三のケーシング６３が、連動されて、ダイヤルセット６３１も回旋され、そのため、上記マップ布６３２から、上記モップ負荷ユニット２１により、余った水分が脱水される。
【００８３】
本考案は、上記案内螺条６６の上記スクリュー６６１が、複数の上記制限突出６００１に沿って螺旋移動して、上記ダイヤルセット６３１が回旋されるため、大きい力を必要としなくても、上記マップ布６３２を脱水することができる。
【００８４】
また、本考案に係る上記案内螺条６６は、小さい部材であるため、コストが低く、容易に損傷を受けることがなく、耐用寿命が向上する。
【００８５】
以下は、本考案の第四の実施形態の図面である。図２０と図２１に示すように、本考案に係るモップ構造７は、外部棒７０と内部棒７１、歯列ユニット７２、回転駆動ギアセット７３及び清掃部材盤７４を備え、上記外部棒７０は、中空状で、底端に、開口７００が形成され、また、上記外部棒７０の内壁７０１に、上記歯列ユニット７２が設置され、上記内部棒７１は、中空貫通であり、上記内部棒７１の外径が、上記外部棒７０の内径よりも小さく、そのため、上記内部棒７１が、上記外部棒７０の底端にある上記開口７００に通して、回転的に上記外部棒７０の中に貫設され、また、上記内部棒７１の底端に、上記清掃部材盤７４が設置され、本考案の主な技術手段は、上記歯列ユニット７２と上記内部棒７１とを連結する上記回転駆動ギアセット７３であり、上記回転駆動ギアセット７３が、第一のギア７３１と第二のギア７３２及び第三のギア７３３を備え、上記第一のギア７３１が、上記歯列ユニット７２に噛合い、上記第二のギア７３２が、それぞれ、上記第一のギア７３１と上記第三のギア７３３に噛合い、また、上記第二のギア７３２が、上記第一のギア７３１と上記第三のギア７３３よりも大きく、外力に応じて、上記第一のギア７３１が、上記歯列ユニット７２上において、第一の方向に移動でき、これにより、上記第二のギア７３２によって上記第三のギア７３３が連動されて回旋され、そして、上記内部棒７１が、連動されて、上記外部棒７０内において、第二の方向に回旋する。以下は、本考案に係る回転可能のモップ構造７の細部構造について、詳しく説明する。
【００８６】
上記の技術説明に続いて、本考案のモップ構造７の上記回転駆動ギアセット７３は、更に、ハウジング７３０と第一の一方向軸受７３４、第二の一方向軸受７３５、弛み防止ナットセット７３６及び軸体７３７を備え、上記ハウジング７３０が、上記第一のギア７３１や上記第二のギア７３２及び上記第三のギア７３３を固定し、上記第二のギア７３２と上記第三のギア７３３が、上記ハウジング７３０内に位置し、上記第二のギア７３２の一部が、上記ハウジング７３０から露出し、上記第一の一方向軸受７３４が、軸受７３４１で、上記第一のギア７３１に連結され、主として、上記第一のギア７３１が、一方向に、上記歯列ユニット７２に噛合って移動するように、機能し、上記第二の一方向軸受７３５が、上記第三のギア７３３に連結され、主とし、上記第三のギア７３３が、一方向に、上記第二のギア７３２に噛合って回旋するように、機能し、上記弛み防止ナットセット７３６が、上記第三のギア７３３と上記第二の一方向軸受７３５を、固定し、上記第三のギア７３３が、回旋する時、脱離することを防止し、上記弛み防止ナットセットが、弛み防止ナットとそのサイズに対応するネジからなり、上記軸体７３７が、上記第一のギア７３１や第一の一方向軸受７３４、上記軸受７３４１及び上記第二のギア７３２に貫設され、固定柱体７３７１で、上記第一のギア７３１や第一の一方向軸受７３４、上記軸受７３４１及び上記第二のギア７３２を固定し、これにより、上記第一のギア７３１と上記第二のギア７３２が、上記軸体７３７を中心として、回旋できる。
【００８７】
上記の技術説明に引きついで、本考案に係る回転可能のモップ構造７は、更に、スリーブ７５とバネ７６、内部棒固定部材７７及び緩衝スリーブ７８を備え、上記スリーブ７５が、上記外部棒７０の頂端に嵌設されて、上記外部棒７０の安定性が向上され、上記バネ７６が、上記外部棒７０の内部に設置されて、上記回転駆動ギアセット７３の上記ハウジング７３０に連結され、これにより、自身の回復力により、上記第一のギア７３１が、上記歯列ユニット７２上において、第三の方向へ移動するように附勢され（即ち、上記回転駆動ギアセットを元の位置に附勢する）、上記内部棒固定部材７７が、上記内部棒７１の頂端の内部に固定されて、上記弛み防止ナットセット７３６を介して、上記第三のギア７３３にロックされ、上記第一のギア７３１が、上記歯列ユニット７２上において、上記第一の方向に移動する時、上記第二のギア７３２と上記第三のギア７３３が連動されて、上記内部棒固定部材７７によって上記内部棒７１が連動されて、上記第二の方向に回旋し、また、上記緩衝スリーブ７８が、上記内部棒７１の頂端の外部に嵌設され、上記内部棒７１が、上記外部棒７０の内部において、移動する時、上記緩衝スリーブ７８により、上記外部棒７０が、直接に、上記清掃部材盤７４に衝撃することを防止できる。また、上記清掃部材盤７４は、清掃部材固定盤７４１と内部棒連結部材７４２を備え、上記清掃部材固定盤７４１は、底部に、清掃部材７４１０が連結され、上記内部棒連結部材７４２は、上記内部棒７１に連結され、枢着ユニット７４２０により、上記清掃部材固定盤７４１に枢着連結される。
【００８８】
図２２と図２３は、本考案の第四の実施形態を一部だけを変化した第五の実施例であり、本実施例において、モップ構造８は、主として、外部棒８０と内部棒８１、歯列ユニット８２、回転駆動ギアセット８３、清掃部材盤８４、スリーブ８５及び螺旋ユニットセット８９を備え、上記外部棒８０は、中空状で、底端に、開口８００が形成され、また、上記外部棒８０の内壁８０１に、上記歯列ユニット８２が設置され、上記内部棒８１は、中空貫通で、上記内部棒８１の外径が、上記外部棒８０の内径よりも小さく、これにより、上記内部棒８１が、上記外部棒８０に底端にある上記開口８００を通して、回転可能に、上記外部棒８０の中に貫設され、また、上記内部棒８１の底端に、上記清掃部材盤８４が設置され、上記回転駆動ギアセット８３は、上記歯列ユニット８２と上記内部棒８１に連結され、上記回転駆動ギアセット８３は、第一のギア８３１と第二のギア８３２及び第三のギア８３３を備え、上記第一のギア８３１が、上記歯列ユニット８２に噛合い、上記第二のギア８３２が、それぞれ、上記第一のギア８３１と上記第三のギア８３３に噛合い、そして、上記第二のギア８３２が、上記第一のギア８３１と上記第三のギア８３３よりも大きく、外力に応じて、上記第一のギア８３１が、上記歯列ユニット８２上において、第一の方向ｍに移動でき、これにより、上記第二のギア８３２によって上記第三のギア８３３が連動されて回旋し、そして、上記内部棒８１が連動されて、上記外部棒８０内において、第二の方向に回旋できる。
【００８９】
また、主な技術手段は、上記回転駆動ギアセット８３の上記第三のギア８３３と上記内部棒８１の上記螺旋ユニットセット８９を連結することであり、上記螺旋ユニットセット８９は、螺旋スリーブ８９１と内部棒固定部材８９２を備え、上記螺旋スリーブ８９１は、表面に、スクリュー８９１０を有し、上記内部棒固定部材８９２の頂部に、上記螺旋スリーブ８９１が嵌設され、また、スクリュー係合部８９２０によって上記スクリュー８９１０に係合され、また、底部が、上記内部棒８１の頂端の内部に設置され、上記弛み防止ナットセット８３６と上記第三のギア８３３とのロックにより、上記第一のギア８３１が、上記歯列ユニット８２上において、上記第一の方向に移動でき、また、上記第二のギア８３２と上記第三のギア８３３が連動され、上記螺旋スリーブ８９１が、上記第三のギア８３３によって連動されて、所有する上記螺旋体８９１０で、上記スクリュー係合部８９２０と係合し、これにより、上記内部棒固定部材８９２が連動されて回転し、そのため、上記内部棒８１が、上記第二の方向に回旋できる。本実施例において、一部の素子が、第四の実施例と同じであるため、ここで、その説明を省略する。
【００９０】
図２４（ａ）（ｂ）を参照しながら、第五の実施形態の構造について説明し、第四の実施形態の作動は、本段落の説明と同じである。上記回転駆動ギアセット８３の上記第一のギアセット８３１が、上記歯列ユニット８２上において、上方へ移動する時、即ち、上記バネ８６が、図のようなＡ’距離に圧縮されると、この時、上記第一のギア８３１により、上記第二のギア８３２と上記第三のギア８３３とが、同時に連動されて回旋し、また、上記第三のギア８３３にロックされた上記螺旋ユニットセット８９により、上記内部棒８１と上記清掃部材盤８４が、左へ回転するように連動され、また、図２４（ｂ）のように、上記第一のギア８３１が、上記歯列ユニット８２上において、上記バネ８６の回復力により下へ移動する時、即ち、上記バネ８６が、図のように、Ａ距離に釈放されると、上記第一の一方向軸受８３４と上記第二の一方向軸受８３５を設置することにより、上記第一のギア８３１が、上記歯列ユニット８２上において、下へ移動する時、上記第一のギアセット８３１が、回旋せず、上記第二のギア８３２と上記第三のギア８３３も連動されなく、そのため、上記内部棒８１と上記清掃部材盤８４が、回転しない。
【００９１】
上記回転駆動ギアセット８３の有する上記第二のギア８３２が、上記第二のギア８３２と上記第三のギア８３３よりも大きいため、不等リードの原理により、上記回転駆動ギアセット８３が回旋する過程において、小さいギア（第一のギア）で、大きいギア（第二のギア）が連動されて回旋し、また、大きいギアにより、小さいギアが連動されて回旋し、そのため、ユーザーが、使用過程において、より省力的になる。
【００９２】
図２５は、本考案の回転可能のモップ構造が、モップ負荷ユニット２１に設置され、回転して脱水される概念図である。
【００９３】
以上は、本考案のより良い実施形態について説明したものであり、本考案は、それによって限定されることが無く、本考案に係わる実用新案登録請求の範囲及び明細書の内容に基づいて行った等価の変更や修正は、全てが、本考案の範囲内に含まれる。
【図面の簡単な説明】
【００９４】
【図１】従来の脱水装置の構造を示す概念図である。
【図２（ａ）】本考案の一実施形態による脱水装置の概念図である。
【図２（ｂ）】本考案の一実施形態による脱水装置の概念図である。
【図２（ｃ）】本考案の一実施形態による脱水装置の概念図である。
【図３】本考案の一実施形態による脱水装置の上記第二の突出部の形成方法を示す概念図である。
【図４（ａ）】本考案の一実施形態による脱水装置のモップ固定素子とストッパー板の設置状態を示す概念図である。
【図４（ｂ）】本考案の一実施形態による脱水装置のモップ固定素子とストッパー板の設置状態を示す概念図である。
【図５】本考案に係る第一の実施形態によるモップ構造の概念図である。
【図６（ａ）】本考案に係る第一の実施形態によるモップ構造の使用状態を示す概念図である。
【図６（ｂ）】本考案に係る第一の実施形態によるモップ構造の使用状態を示す概念図である。
【図６（ｃ）】本考案に係る第一の実施形態によるモップ構造の使用状態を示す概念図である。
【図７】本考案に係る第一の実施形態によるモップ構造の位置付けユニットの概念図である。
【図８】本考案に係る第一の実施形態によるモップ構造の粘着ユニットの概念図である。
【図９】本考案に係る第一の実施形態によるモップ構造の上記連結部の細部構造の概念図である。
【図１０】本考案に係る第二の実施形態によるモップ構造の斜視図である。
【図１１】本考案に係る第二の実施形態によるモップ構造の分解斜視図である。
【図１２（ａ）】本考案に係る第二の実施形態によるモップ構造の断面図である。
【図１２（ｂ）】本考案に係る第二の実施形態によるモップ構造の部分断面図である。
【図１３】本考案の第二の実施形態によるモップ構造の作動状態を示す局部断面図である。
【図１４】本考案に係る第二の実施形態によるモップ構造に脱水装置が結合された状態を示す概念図である。
【図１５】本考案に係る第三の実施形態によるモップ構造の分解斜視図である。
【図１６】本考案に係る第三の実施形態によるモップ構造の斜視図である。
【図１７】本考案に係る第三の実施形態によるモップ構造の部分断面図である。
【図１８】本考案に係る第三の実施形態によるモップ構造の作動概念図である。
【図１９】本考案に係る第三の実施形態によるモップ構造の使用概念図である。
【図２０】本考案に係る第四の実施形態によるモップ構造の分解斜視図である。
【図２１】本考案に係る第四の実施形態によるモップ構造の断面概念図である。
【図２２】本考案に係る第五の実施形態によるモップ構造の分解斜視図である。
【図２３】本考案に係る第五の実施形態によるモップ構造の断面概念図である。
【図２４（ａ）】本考案に係る第五の実施形態によるモップ構造の作動概念図である。
【図２４（ｂ）】本考案に係る第五の実施形態によるモップ構造の作動概念図である。
【図２５】本考案に係る一実施形態によるモップ構造を回転脱水する状態の概念図である。
【符号の説明】
【００９５】
１０  脱水かご
１１  連結棒体
１２  基座
１２１  貫通孔
１３  係止リング
２  脱水装置
２０  基座
２０１  貫通孔
２００１  基座頂部表面
２０２  基座底部
２１  モップ負荷ユニット
２１０１  モップ負荷ユニット底部表面
２１１  棒体貫設部
２２  棒体
２２１  第一の突出部
２２２  第二の突出部
２３  第一の金属リング
２４  第二の金属リング
２５  吸盤
２５１  固定柱体
２６  モップ固定素子
２７  ストッパー板
３  モップ構造
３１  プレス・ヘッド
４  モップ構造
４０  握り棒
４１１  第一の部分固定基座
４１１０  側壁
４１２  第二の部分固定基座
４１２０  側壁
４１２１  第一の板体
４１２２  第二の板体
４２  連結部
４３  枢着ユニット
４４  位置付けユニット
４５  粘着ユニット
４６  空間
５  モップ構造
５２  握持ユニット
５２１  握り棒
５２１１  握り部
５２１２  棒部
５２２  スリーブ
５２２１  第一のリング
５２２２  第二のリング
５２３  第一の柱体
５２３１  第一の雌ねじ
５３  回旋ユニット
５３１  弾性素子
５３２  螺条
５３２１  第一の雄ねじ
５３２２  第二の柱体
５３２３  第一のリング槽
５３２４  第三の柱体
５３２５  第二のリング槽
５３２６  第一のリング部材
５３２７  第二のリング部材
５３３  一方向軸受
５３４  ボス
５３４１  第三のライナリング
５３４２  第四のライナリング
５３５  連結棒       
５３５１  第二の雌ねじ
５３６  固定棒
５３６１  第二の雄ねじ
５４  結合ユニット
５４１  グリップ
５４２  第一の可動部材
５４２１  底壁
５４２２  側壁
５４２３  凸縁
５４２４  突出
５４３  第二の可動部材
５４３１  底座
５４３２  結合柱
５４３３  枢着凹槽
５４４  位置付け部材 
５４４１  本体
５４４２  係合部
５４４３  貫通孔
５４４４  制限空間
５４５  結合座
５４５１  結合座槽
５５  清掃体
６０  第一のケーシング
６００１  制限突出
６００２  制限凸縁
６１  握りカバー
６１１１  引受け孔
６１１２  吊下げ孔
６２  第二のケーシング
６３  第三のケーシング
６３１  ダイヤルセット
６３２  マップ布
６４  第一の連結スリーブ
６５  第二の連結スリーブ
６６  案内螺条
６６１  スクリュー
６６２  貫通孔
６７  第一のプランジャー
６７０１  第一の挿入孔
６７１  第二のプランジャー
６７１１  第二の挿入孔
６８  第一の位置付け栓
６８０１  スクリュー段
６８１  第二の位置付け栓
７  モップ構造
７０  外部棒
７００  開口
７０１  内壁
７１  内部棒
７２  歯列ユニット
７３  回転駆動ギアセット
７３０  ハウジング
７３１  第一のギア
７３２  第二のギア
７３３  第三のギア
７３４  第一の一方向軸受
７３４１  軸受
７３５  第二の一方向軸受
７３６  弛み防止ナットセット
７３７  軸体
７３７１  固定柱体
７４  清掃部材盤
７４１  清掃部材固定盤
７４１０  清掃部材
７４２０  枢着ユニット
７４２  内部棒連結部材
７５  スリーブ
７６  バネ
７７  内部棒固定部材
７８  緩衝スリーブ
８  モップ構造
８０  外部棒
８００  開口
８０１  内壁
８１  内部棒
８２  歯列ユニット
８３  回転駆動ギアセット
８３１  第一のギア
８３２  第二のギア
８３３  第三のギア
８３４  第一の一方向軸受
８３５  第二の一方向軸受
８３６  弛緩防止ナットセット
８４  清掃部材盤
８５  スリーブ
８６  バネ
８９  螺旋ユニットセット
８９１  螺旋スリーブ
８９２  内部棒固定部材
８９１０  スクリュー
８９２０  スクリュー係合部
Ａ  單一方向
【図１】
0003174187.tif 000003
【図２（ａ）】
0003174187.tif 000004
【図２（ｂ）】
0003174187.tif 000005
【図２（ｃ）】
0003174187.tif 000006
【図３】
0003174187.tif 000007
【図４（ａ）】
0003174187.tif 000008
【図４（ｂ）】
0003174187.tif 000009
【図５】
0003174187.tif 000010
【図６（ａ）】
0003174187.tif 000011
【図６（ｂ）】
0003174187.tif 000012
【図６（ｃ）】
0003174187.tif 000013
【図７】
0003174187.tif 000014
【図８】
0003174187.tif 000015
【図９】
0003174187.tif 000016
【図１０】
0003174187.tif 000017
【図１１】
0003174187.tif 000018
【図１２（ａ）】
0003174187.tif 000019
【図１２（ｂ）】
0003174187.tif 000020
【図１３】
0003174187.tif 000021
【図１４】
0003174187.tif 000022
【図１５】
0003174187.tif 000023
【図１６】
0003174187.tif 000024
【図１７】
0003174187.tif 000025
【図１８】
0003174187.tif 000026
【図１９】
0003174187.tif 000027
【図２０】
0003174187.tif 000028
【図２１】
0003174187.tif 000029
【図２２】
0003174187.tif 000030
【図２３】
0003174187.tif 000031
【図２４（ａ）】
0003174187.tif 000032
【図２４（ｂ）】
0003174187.tif 000033
【図２５】
0003174187.tif 000034